(57)【要約】【課題】  ゴキブリ捕獲器の内部が見えにくいゴキブリ捕獲器を提供する。【解決手段】  ゴキブリ捕獲器１は、天板２、下側板３、上側板４、底板５からなり、底板５は粘着面８、剥離紙９、誘引剤１０で構成される。ゴキブリ捕獲器１の左右にある天板２の差込口１１を、差し込み受けａ１２に差し込むと、下側板３と上側板４の間が内側へと凹んだ直方体のゴキブリ捕獲器が形成される。ゴキブリ捕獲器１の上側板４の内には、大型進入口６がカットされており、ゴキブリ捕獲器を組み立てた際に、大型進入口６が、斜め内下向きに配置される為、外部からゴキブリ捕獲器の内部が見えにくくなる。【選択図】図２
2019013209.tif 000002
【特許請求の範囲】
【請求項１】
ゴキブリ捕獲器の側板を、上側板と下側板に分け、上側板に大型進入口を設け、天板の差込口を、長さの異なるそれぞれの差し込み受けに差込み分ける事により、上側板にある大型進入口の角度を調整できる事を特徴とするゴキブリ捕獲器
【請求項２】
ゴキブリ捕獲器を組み立てた際に、上側板にある大型進入口が、斜め内下向きに配置される事を特徴とする請求項１記載のゴキブリ捕獲器
【請求項３】
ゴキブリ捕獲器を組み立てた際に、上側板にある大型進入口が、垂直の向きに配置される事を特徴とする請求項１記載のゴキブリ捕獲器
【請求項４】
ゴキブリ捕獲器を組み立てた際に、上側板にある大型進入口が、斜め外上向きに配置される事を特徴とする請求項１記載のゴキブリ捕獲器
【発明の詳細な説明】
【技術分野】
【０００１】  本考案は、紙を使用した組み立て式のゴキブリ捕獲器に関する。
【背景技術】
【０００２】  従来の、一般的なゴキブリ捕獲器としては、図３のような紙製の組み立て式のゴキブリ捕獲器が上げられる。【０００３】  材質は一枚の紙からなり、それぞれ天板になる面、側板になる面、底板になる面で構成され、これらを組み立てる事により、ゴキブリ捕獲器として使用できる。【０００４】  紙製のゴキブリ捕獲器は、平面状の一枚の紙で構成されており、左右の一番端にある天板面には、それぞれ差込口と差し込み受けがあり、差込口を差込受けに差し込む事で直方体で台形のゴキブリ捕獲器が形成される。【０００５】  側板面は、天板面の次にあり、ゴキブリの進入口となる大型進入口がカットされており、また大型進入口がカットされた型に合わせて、屋根になる部分が設けられている。【０００６】  側板面は、天板面の左右にある差込口を、差し込み受けに差し込むと同時に、側板面が内側へと斜めに傾き、側板にカッティングされた大型進入口が、平行して上外向きに開き、屋根部分と大型進入口に展開する構造になっている。【０００７】  また、大型進入口を、底面から一定の高さの位置にする事により、ゴキブリの進入しやすい角度を設けると同時に、ゴキブリが粘着面に侵入した際の返しを兼用する構造にもなっている。【０００８】  小型進入口は、底板面の上下に配置されており、天板面の組み立ての際に、天板面の角部分と繋がる小型進入口の側面部分が、連動して内側に押し込まれ、小型進入口を内側に下り曲げる構造と、手動にて小型進入口を内側に折り曲げて組み立てるパターンがある。【０００９】  底板面は、組み立て前のゴキブリ捕獲器の中央に位置し、剥離紙と粘着面が備わっている。【００１０】  底板面の剥離紙を剥がし、粘着面を露出させ、粘着面の中央部に誘引剤を置く事で、ゴキブリ捕獲器として完成する。【００１１】  ゴキブリは、誘引剤の匂いに惹かれ、ゴキブリ捕獲器の大型進入口、もしくは小型進入口から、ゴキブリ捕獲器の内部に侵入し、ゴキブリ捕獲器の底面の粘着面に触れると身動きが取れなくなり、ゴキブリ捕獲器で捕獲される事になる。【００１２】  一方で、ゴキブリ捕獲器に捕獲されたゴキブリは、大型進入口の窓から丸見えとなる為、人によっては不快に感じる原因ともなる。
【発明の開示】
【発明が解決しようとする課題】
【００１３】  ゴキブリ捕獲器の内部が見えにくいゴキブリ捕獲器を提供する。
【課題を解決する為の手段】
【００１４】  ゴキブリ捕獲器１は、天板２、下側板３、上側板４、底板５からなり、底板５は粘着面８、剥離紙９、誘引剤１０で構成される。ゴキブリ捕獲器１の左右にある天板２の差込口１１を、差し込み受けａ１２に差し込むと、下側板３と上側板４の間が内側へと凹んだ直方体のゴキブリ捕獲器が形成される。ゴキブリ捕獲器１の上側板４の内には、大型進入口６がカットされており、ゴキブリ捕獲器を組み立てた際に、大型進入口６が、斜め内下向きに配置される為、外部からゴキブリ捕獲器の内部が見えにくくなる。
【発明の効果】
【００１５】  本考案のゴキブリ捕獲器では以下の効果がある。
【００１６】  側板を、上側板４と下側板３に分け、大型進入口６の窓を、上側板４に設ける事で、天板２の差込口１１と、差し込み受け１２〜１４の距離により、上側板４の大型進入口６の、窓の向きの角度の調整ができる。
【００１７】  天板２の、差込口１１を、差し込み受けａ１２に差し込むことにより、上側板４の大型進入口６の窓が、斜め内下向きになり、ゴキブリ捕獲器の内部を見えにくくする効果がある。
【００１８】  従来品では、大型進入口の窓は、側板にあり、大型進入口の窓は、斜め外上向きである為、ゴキブリ捕獲器の内部は、大型進入口の窓から丸見えになっていた。
【００１９】  その為、捕獲されたゴキブリが大型進入口の窓から見えてしまい不快な面もあった。
【００２０】  本考案のゴキブリ捕獲器では、差込口１１を、差し込み受けａ１２に差し込んだ場合には、大型進入口６の窓は、斜め内下向きになる為、ゴキブリ捕獲器の内部にゴキブリが捕獲されてても、内部を見ることは容易にはできない。
【００２１】  天板２の差込口１１を、差込受けｂ１３に差込んで組み立てると、上側板４と下側板３の内角が広がり、縦置きにする事ができる。
【００２２】  天板２の片面にある、縦置き用窓枠１６を押して、両側面の一部を残して天板２から切り離し、更に内側へと押し込むと、上側板４にある大型進入口６の窓枠が、縦置き用窓枠１６で蓋をされると同時に、天板２の縦置き用の窓枠１６のあった場所に、新たに大型進入口の窓が形成される。
【００２３】  天板２の差込口１１を、差込受けｃ１４に差し込んで組み立てると、上側板４と下側板３の内角は更に広がり、従来のゴキブリ捕獲器と同様に、大型進入口６の窓が、斜め外上向きになり、ゴキブリ捕獲器の内部を確認しやすくなる。
【００２４】  差込受けａ１２を使用すると、上側板４に設けた大型進入口６が、斜め内下向きになり、ゴキブリ捕獲器の内部を見えにくくし、差込受けｂ１３を使用すると、上側板４と下側板３の内角が広がり、縦置きにでき、差込受けｃ１４を使用すると、上側板４に設けた大型進入口６が、斜め外上向きになり、ゴキブリ捕獲器の内部を確認しやすくなる。
【００２５】  差込受け１２〜１４を使い分けることにより、用途の幅を広げる事ができる。
【発明を実地する為の最良の形態】
【００２６】  ゴキブリ捕獲器１から、剥離紙９を引き剥がし、粘着面８を露出させる。粘着面８の中央部には、誘引剤１０を設置する。
【００２７】  ゴキブリ捕獲器１の、左右にある天板２を内側へと折りたたみ、天板２の差込口１１を差込受けａ１２に差込むと、下側板３と上側板４の間が内側へと凹んだ直方体のゴキブリ捕獲器（図２）が形成される。
【００２８】  この際に、下側板３が内側へと折り込まれると、その動きに連動して、下側板３と小型進入口７を繋げる三角面が内側へと移動し、小型進入口７も内側へと折り込まれる
【００２９】  半円形状にカットされたツマミ１５を起こすことで、ツマミ１５が取っ手になる。
【００３０】  （００２６）〜（００２９）により、ゴキブリ捕獲器が組み立てられる。
【００３１】  組み立てたゴキブリ捕獲器は、台所の隅や流し台の下など、ゴキブリの発生源になる場所に設置すると良い。
【図面の簡単な説明】
【００３２】
【図１】  ゴキブリ捕獲器を示した展開図である。
【図２】  ゴキブリ捕獲器を示した側面断面図である。
【図３】  従来のゴキブリ捕獲器を示した側面断面図である。
【符号の説明】
【００３３】  １  ゴキブリ捕獲器
２  天板
３  下側板
４  上側板
５  底板
６  大型進入口
７  小型進入口
８  粘着面
９  剥離紙
１０  誘引剤
１１  差込口
１２  差込受けａ
１３  差込受けｂ
１４  差込受けｃ
１５  ツマミ
１６  縦置き用窓枠
【図１】
2019013209.tif 000003
【図２】
2019013209.tif 000004
【図３】
2019013209.tif 000005